(57)【要約】【課題】  理想的なゴルフスイングで大切なことはスイング始動時のテークバックで如何に目標の軌道に誘導させるかであり、その練習用具としてスイング軌道誘導具を提供する。【解決手段】  つまり練習者がクラブヘッドを誘導体Ａ１の先端面に添えてテークバックで後方へ押しながら圧力を加え、双方一体となって目標となる軌道へ誘導させることである。即ちクラブヘッドを目標となる軌道へ誘導させる動作を繰り返し反復練習によって両腕、上半身、下半身に誘導体Ａ１の抵抗を体感させながらテークバックでの理想のスイング軌道を覚えることとした。【選択図】図１
2009011543.tif 000002
【特許請求の範囲】
【請求項１】
ゴルフクラブのスイング軌道を誘導する補助具において、マット上にセットしたボールとその後方でマット上方に設けられた箱形の誘導体Ａ（１）の間にクラブヘッドを位置させ、前記誘導体Ａ（１）先端面にクラブヘッド裏側のバックフェースを添え、且つ双方一体に練習者がテークバックにおいてクラブヘッドの押す圧力で前記誘導体Ａ（１）を後方に移動させることを特徴とするスイング軌道誘導補助具。
【請求項２】
前記誘導体Ａ（１）は箱形の蓋付き容器で、その容器内に液体を充填し重量を持たせると共に、前記誘導体Ａ（１）をマット先端部分の前後方向中央部を定位置としたことを特徴とする請求項１記載のスイング軌道誘導補助具。
【請求項３】
前記誘導体Ａ（１）底面下方には、断面Ｕ字状の誘導溝Ａ（２）があり、その開口端面とマットは同一平面を保って前記誘導体Ａ（１）定位置の後方へ直線状に敷設されたことを特徴とする請求項１記載のスイング軌道誘導補助具。
【請求項４】
前記誘導体Ａ（１）の底面にはキャスター（３）が複数前後方向垂直に付設して回転することを特徴とする請求項１記載のスイング軌道誘導補助具。
【請求項５】
前記誘導体Ａ（１）の復帰手段として前記誘導体Ａ（１）底面付設前記キャスター（３）の前後中間にゼンマイ駆動車輪（４）が反転機能を有して併設されたことを特徴とする請求項１のスイング軌道誘導補助具。
【請求項６】
前記誘導体Ａ（１）の復帰手段として前記誘導体Ａ（１）底面付設前記キャスター（３）の前後中間にそのキャスター（３）を支えるための補助車輪（５）が併設され、前記誘導体Ａ（１）定位置の後方に直線状で上り勾配のある断面がＵ字状で誘導兼復帰溝（６）がマット上方に敷設されていることを特徴とする請求項５記載のスイング軌道誘導補助具。
【請求項７】
前記誘導体Ａ（１）の復帰手段として前記誘導体Ａ（１）先端下部には脱着自在なコードＡ（７）が取り付けられて、そのコードＡ（７）の延長線状には回転自在の案内滑車（８）を経由して常に引き戻す機能を有した駆動リール（９）が連結されており、その駆動リール（９）は前記誘導体Ａ（１）定位置先端横近傍のマット上方に取り付けたられたことを特徴とする請求項５又は６記載のスイング軌道誘導補助具。
【請求項８】
前記誘導体Ａ（１）の復帰手段として誘導体Ｂ（１０）は前記誘導体Ａ（１）より僅かに重くその底面には前記キャスター（３）が複数前後方向垂直に、そのキャスター（３）の前後中間部には前記補助車輪（５）が併設されており、誘導溝Ｂ（１１）は断面Ｕ字状で前方から後方へ下り勾配が保たれ、前記誘導溝Ａ（２）と並行にマットの上方に敷設されていて、前記誘導溝Ｂ（１１）の最後端には前記誘導体Ｂ（１０）の定位置があり、前記誘導体Ｂ（１０）は重量差によって後方に移動するよう成されており、前記誘導体Ａ（１）と前記誘導体Ｂ（１０）は前記案内滑車（８）を経由してコードＢ（１２）でそれぞれ連結されたことを特徴とする請求項５、６及び７のいずれかに記載のスイング軌道誘導補助具。
【発明の詳細な説明】
【技術分野】
【０００１】
この発明はゴルフスイングのテークバックでクラブヘッドを目標となる軌道に誘導させるスイング軌道誘導補助具に関する。
【背景技術】
【０００２】
従来の技術で、例えば特開平９―８４９１５号公報記載のものには補助具としてゴルフクラブに付設したもの、あるいは特開２０００―１４０１８１号公報では用具を身体に装着する等、それぞれスイング矯正を主目的としたものが提案されている。しかしいずれの提案もスイングの始動時テークバックの際目標となる軌道に誘導させることは開示されていなく、目的としたものでもない。
【特許文献１】特開平９―８４９１５号公報
【特許文献２】特開２０００―１４０１８１号公報
【発明の開示】
【発明が解決しようとする課題】
【０００３】
本発明は上記目的であるスイング始動時のテークバックの際目標となる軌道に誘導させるために発明したものである。
【課題を解決するための手段】
【０００４】
前記の目的を達成するために本発明はマット上にセットしたボールとその後方でマット上方に設けられた箱形の誘導体Ａ１の間にクラブヘッドを位置させ、誘導体Ａ１先端面にクラブヘッド裏側のバックフェースを添え、且つ双方一体に練習者がテークバックにおいてクラブヘッドの押す圧力で誘導体Ａ１を後方に移動させることを特徴とする進行させることを特徴とする。
【０００５】
前記誘導体Ａ１は箱形の蓋付き容器で、その容器内に液体を充填し重量を持たせると共に、前記誘導体Ａ１をマット先端部分の前後方向中央部を定位置としたことを特徴とする。
【０００６】
誘導体Ａ１底面下方には、断面Ｕ字状の誘導溝Ａ２があり、その開口端面とマットは同一平面を保って誘導体Ａ１定位置の後方へ直線状に敷設されたことを特徴とする
【０００７】
誘導体Ａ１の底面にはキャスター３が複数前後方向垂直に付設して回転することを特徴とする。
【０００８】
誘導体Ａ１の復帰手段として誘導体Ａ１底面付設キャスター３の前後中間にゼンマイ駆動車輪４が反転機能を有して併設されたことを特徴とする。
【０００９】
誘導体Ａ１の復帰手段として誘導体Ａ１底面付設キャスター３の前後中間にそのキャスター３を支えるための補助車輪５が併設され、誘導体Ａ１定位置の後方に直線状の上り勾配のある断面が字状で誘導兼復帰溝６がマット上方に敷設されていることを特徴とする。
【００１０】
誘導体Ａ１の復帰手段として誘導体Ａ１先端下部には脱着自在のコードＡ７が取り付けられて、そのコードＡ７の延長線状には回転自在の案内滑車８を経由して常に引き戻す機能を有した駆動リール９が連結されており、駆動リール９は前記誘導体Ａ１定位置先端横近傍のマット上方に取り付けたられたことを特徴とする。
【００１１】
誘導体Ａ１の復帰手段として誘導体Ｂ１０は誘導体Ａ１より僅かに重くその底面にはキャスター３が複数前後方向垂直に、そのキャスター３の前後中間部には補助車輪５が併設されており、誘導溝Ｂ１１は断面Ｕ字状で前方から後方へ下り勾配が保たれ、誘導溝Ａ２と並行にマットの上方に敷設されていて、誘導溝Ｂ１１の最後端には誘導体Ｂ１０の定位置があり、誘導体Ｂ１０は重量差によって後方に移動するよう成されており、誘導体Ａ１と誘導体Ｂ１０は案内滑車８を経由してコードＢ１２でそれぞれ連結されたことを特徴とする。
【発明の効果】
【００１２】
本発明を用いてゴルフスイングを行うとセットしたボール１４と誘導体Ａ１の間にクラブヘッドを位置させ、テークバックでクラブヘッドと誘導体Ａ１双方一体となって圧力を加えると誘導体Ａ１付設のキャスター３は後方に真直ぐ誘導溝Ａ２の溝内を回転しながら進行する。即ちテークバックにおいて手先のみのリードではなく、ゴルフクラブと両腕が双方一体となって誘導体Ａ１を後方に進行させることで目標となる軌道への誘導を果たすことができる。その動作を繰り返し反復練習にすることによって両腕、上半身、下半身は誘導体Ａ１の重さの抵抗を体感しながらテークバックでの理想のスイング軌道を覚える効果を発揮する。
【００１３】
誘導体Ａ１は箱形蓋付の合成樹脂製容器でその容器の中に充填する液体の量目を変えることにより重量の可変が自由にできる。更に誘導体Ａ１の容器内を空にすれば移動の際、重量の負担が軽減できる。
誘導体Ａ１はクラブヘッドを後方へ押す圧力でキャスター３と併設したゼンマイ駆動車輪４が反転力機能を有しており、誘導溝Ａ２をキャスター３は溝内を、ゼンマイ駆動車輪４は開口上端部をそれぞれが進退自在に前後することができる。
復帰手段として誘導体Ａ１は後方に上り勾配のある誘導兼復帰溝６を上がり切った後、誘導体Ａ１は自重で反対方向を前方に誘導兼復帰溝６の下り勾配を進行し定位置に移動する。
復帰手段として誘導体Ａ１はクラブヘッドで後方に押された後、コード７で連結され引き戻す機能を有する駆動リール９によって、誘導体Ａ１は誘導溝Ａ２を前方向へ進行し定位置に移動する。
復帰手段として誘導体Ａ１がクラブヘッドで後方に押されるとその動きに連れてそれぞれが連結されたコードＢ１２によって誘導体Ｂ１０は前方向へ移動する。その後誘導体Ｂ１０は誘導体Ａ１との重量差で後方の下り勾配のある誘導溝Ｂ１１を定位置に移動する。その動きに連動して誘導体Ａ１は誘導体Ｂ１０とそれぞれ連結されたコードＢ１２によって、誘導体Ａ１は誘導溝Ａ２を前方向の定位置に移動する。
【発明を実施するための最良の形態】
【００１４】
本発明のスイング軌道誘導補助具について図１から図４に基づいて説明する。
図１は、本発明スイング軌道誘導補助具の実施形態を示す平面図である。
図２は、本発明スイング軌道誘導補助具の実施形態を示す斜視図である。
図３は、図１の平面図において誘導体１部分Ａ−Ａ｀断面図である。
図４は、図１の平面図において誘導体１底面図でキャスター２及びゼンマイ駆動車輪３が併設したことを示している。
【００１５】
本発明は図１で示すように誘導体Ａ１は幅１５０ｍｍ、奥行き２００ｍｍ、高さ７０ｍｍの箱形の蓋付容器になっており、その中には液体が充填されている。誘導体Ａ１の底面には図３及び図４で示すように複数のキャスター３がゼンマイ駆動車輪４を挟む形で前後方向垂直に併設されている。誘導体Ａ１はマット１３先端近傍中央のボール１４をセットする後に定位置があり、誘導体Ａ１の下方には後方へ長く断面Ｕ字状の誘導溝Ａ２はその開口端面がゴムまたは合成樹脂製のマット１３に同一平面を保って敷設されている。マット１３は人工芝で底のゴム板を含む厚みが２０ｍｍ、幅４００ｍｍ、長さ１３００ｍｍで構成した実施例を示している。
【００１６】
図２は図１の斜視図でマット上方に誘導体Ａ１と誘導溝Ａ２がマットに敷設されたことを示している。
【００１７】
図３は図１誘導体Ａ１のＡ−Ａ｀断面を示している。
【００１８】
次に練習者と誘導体Ａ１の動きの関連について図５に基づいて説明する。
図５の機能説明図５−１では練習者がマット上１３にセットした、ボール１４と誘導体Ａ１の間にクラブヘッドを位置させ、双方一体となってテークバックで押す圧力を加えると誘導体Ａ１が誘導溝２を後方へ進行する。５−２ではクラブヘッドと誘導体Ａ１は双方が一体から離れても、クラブヘッドに押された勢いで後方への進行は続く。５−３、５−４は誘導体Ａ１が反転力を有したゼンマイ駆動車輪４の機能により誘導溝Ａ２を逆方向前方に進行している状態を示している。５−５ではボールを打ち終わり誘導体Ａ１
が定位置に復帰されたところを示している。
【００１９】
図６は、本発明の第２実施例で誘導体Ａ１の復帰手段において誘導兼復帰溝６の機能を有した実施の形態を示している。
【００２０】
図７は、本発明の第３実施例で誘導体Ａ１の復帰手段においてコードＡ７、案内滑車８、駆動リール９で構成された実施の形態を示している。
【００２１】
図８は、本発明の第４実施例で誘導体Ａ１の復帰手段において誘導体Ａ１、誘導溝Ａ２、案内滑車８、誘導体Ｂ１０、誘導溝Ｂ１１、コードＢ１２で構成された実施の形態を示している。
【００２２】
図９は、図６、７、８の各斜視図において示した誘導体Ａ１及び誘導体Ｂ１０の底面図で、キャスター３及び補助車輪５が併設したものを示している。
【００２３】
誘導体Ａ１並びに誘導体Ｂ２については合成樹脂で箱形蓋付の例を説明したが、その材質はゴムその他のものであっても良く、また形状も箱形蓋付以外の例えば小判型で蓋付のものであっても良く、これらに制約されるものではない。
【００２４】
誘導体Ａ１付設のキャスター３は垂直回転が水平回転するものでも良い。
【００２５】
誘導体Ａ１が誘導溝Ａ２の最後端に達すると駆動リール９が停止する機能を設けるものでも良い。
【００２６】
キャスター３の車輪部分に磁力を備え、誘導溝Ａ２に替えて金属製のワイヤーをマット１３内に敷設したものでも良い。
【００２７】
マット１３は先端のボール１４をセットする近傍部分が人工芝でその後方はゴム又は合成樹脂製でそれぞれの溝を設けたものでも良い。もちろん、前記実施例で示した寸法は自由に変更可能で、寸法に特定されるものではない。さらに図５に示す機能説明図は右打ちの練習者を対象にしたものであるが、左打ちの練習者の場合、左右の向きが逆になることは当然である。
【図面の簡単な説明】
【００２８】
【図１】本発明の実施例のスイング軌道誘導補助具を示す平面図。
【図２】その斜視図。
【図３】図１に示す誘導体ＡのＡ−Ａ｀線に沿った断面図。
【図４】同誘導体の底面図。
【図５】同軌道誘導補助具の機能説明図。
【図６】本発明の第２実施例を示す斜視図。
【図７】本発明の第３実施例を示す斜視図。
【図８】本発明の第４実施例を示す斜視図。
【図９】本発明の図６から図８に示す斜視図での誘導体の底面図。
【符号の説明】
【００２９】
１  誘導体Ａ
２  誘導溝Ａ
３  キャスター
４  ゼンマイ駆動車輪
５  補助車輪
６  誘導兼復帰溝
７  コードＡ
８  案内滑車
９  駆動リール
１０  誘導体Ｂ
１１  誘導溝Ｂ
１２  コードＢ
１３  マット
１４  ボール
【図１】
2009011543.tif 000003
【図２】
2009011543.tif 000004
【図３】
2009011543.tif 000005
【図４】
2009011543.tif 000006
【図５】
2009011543.tif 000007
【図６】
2009011543.tif 000008
【図７】
2009011543.tif 000009
【図８】
2009011543.tif 000010
【図９】
2009011543.tif 000011